(57)【要約】【課題】  お休みタイマーの設定に際し、ＴＶ表示画面の明るさ制御と音量制御とをきめ細かく行うことによって、視聴者の使い勝手を向上させる。【解決手段】  ディスク側マイコン１１は、ＴＶ側マイコン２１からお休みタイマー設定コードとタイマー時間とを受信すると、表示部２５の画面の明るさを予め設定された一定の明るさとなるように調整するとともに、ディスク装置によって再生中の音楽ディスク１３の音量を、複数のタイマー時間ごとに個別に設定された固定値である一定の音量となるように調整し、かつ、音楽ディスク１３の再生についてはこの時点からオートリピート再生を開始した状態で、タイマー時間に対応させて表示部２５の画面の明るさを一定の明るさから徐々に暗くするとともに、再生音量を一定の音量から徐々に下げて行くように制御する。【選択図】  図１
2006217134.tif 000002
【特許請求の範囲】
【請求項１】
音楽ディスクを再生するディスク装置の制御手段と、ユーザによって設定可能なタイマー時間が複数用意されたお休みタイマー機能を有するテレビジョン受像機の制御手段とがバス通信によって接続されたディスク装置内蔵型テレビジョン受像機において、
前記複数のタイマー時間に関係なく一つの音量下げパターンが格納されており、
ユーザによりお休みタイマーモードが選択されて任意のタイマー時間が設定されると、前記テレビ側制御手段は、お休みタイマー設定コードを前記設定されたタイマー時間とともに前記ディスク側制御手段に送信し、
前記ディスク側制御手段は、前記お休みタイマー設定コードとタイマー時間とを受信すると、モニタ画面の明るさを予め設定された一定の明るさとなるように調整するとともに、前記ディスク装置によって再生中の音楽ディスクの音量を、前記複数のタイマー時間ごとに個別に設定された固定値である一定の音量となるように調整し、かつ、音楽ディスクの再生についてはこの時点から前記タイマー時間の終了まで、ユーザにより予め設定されているプログラム再生に従ってオートリピート再生を開始し、
前記テレビ側制御手段は、前記タイマー時間に対応させてモニタ画面の明るさを前記一定の明るさから徐々に暗くするとともに、前記再生音量を前記一定の音量から徐々に下げて行くように制御する一方、お休みタイマーモードへの移行時の前記音楽ディスクの再生音量のレベルが前記固定値より低い場合には、再生音量のレベルを維持した状態でお休みタイマーモードを開始し、再生音量のレベルが前記音量下げパターンに従った音量レベルに一致すると、その後は前記音量下げパターンに従って再生音量を徐々に下げていくことを特徴とするディスク装置内蔵型テレビジョン受像機。
【請求項２】
音楽ディスクを再生するディスク装置の制御手段と、お休みタイマー機能を有するテレビジョン受像機の制御手段とがバス通信によって接続されたディスク装置内蔵型テレビジョン受像機において、
ユーザによりお休みタイマーモードが選択されてタイマー時間が設定されると、前記テレビ側制御手段は、お休みタイマー設定コードを前記タイマー時間とともに前記ディスク側制御手段に送信し、
前記ディスク側制御手段は、前記お休みタイマー設定コードとタイマー時間とを受信すると、モニタ画面の明るさを予め設定された一定の明るさとなるように調整するとともに、前記ディスク装置によって再生中の音楽ディスクの音量を予め設定された一定の音量となるように調整し、かつ、音楽ディスクの再生についてはこの時点から前記タイマー時間の終了までオートリピート再生を開始し、
前記テレビ側制御手段は、前記タイマー時間に対応させてモニタ画面の明るさを前記一定の明るさから徐々に暗くするとともに、前記再生音量を前記一定の音量から徐々に下げて行くことを特徴とするディスク装置内蔵型テレビジョン受像機。
【請求項３】
前記一定の音量が、お休みタイマーモードの選択時に前記ディスク装置によって再生されている音楽ディスクの再生音量であることを特徴とする請求項２に記載のディスク装置内蔵型テレビジョン受像機。
【請求項４】
前記一定の音量が、お休みタイマーモードに対応させて予め設定されたモード設定音量であることを特徴とする請求項２に記載のディスク装置内蔵型テレビジョン受像機。
【請求項５】
前記一定の音量が、ユーザによって設定されたユーザ設定音量であることを特徴とする請求項２に記載のディスク装置内蔵型テレビジョン受像機。
【請求項６】
前記一定の音量が、テレビジョン受像機の初期設定音量であることを特徴とする請求項２に記載のディスク装置内蔵型テレビジョン受像機。
【請求項７】
ユーザによって設定可能なタイマー時間が複数用意されており、前記一定の音量が前記複数のタイマー時間に関係なく一つの固定値に設定されているとともに、この固定値から前記複数のタイマー時間に応じて音量を徐々に下げるように設定された複数の音量下げパターンが格納されており、
お休みタイマーモード時、前記ディスク側制御手段は、前記タイマー時間に応じた個別の音量下げパターンに従って、前記固定値から再生音量を徐々に下げていくことを特徴とする請求項２ないし請求項６のいずれかに記載のディスク装置内蔵型テレビジョン受像機。
【請求項８】
ユーザによって設定可能なタイマー時間が複数用意されており、前記一定の音量が前記複数のタイマー時間ごとに個別の固定値として設定されているとともに、前記複数のタイマー時間に関係なく同じレベルで音量を徐々に下げていく一つの音量下げパターンが格納されており、
お休みタイマーモード時、前記ディスク側制御手段は、前記タイマー時間に応じた個別の固定値から、前記一つの音量下げパターンに従って再生音量を徐々に下げていくことを特徴とする請求項２ないし請求項６のいずれかに記載のディスク装置内蔵型テレビジョン受像機。
【請求項９】
ユーザによって設定可能なタイマー時間が複数用意されており、前記一定の音量が前記複数のタイマー時間ごとに個別の固定値として設定されているとともに、これら個別の固定値から前記複数のタイマー時間に応じて音量を徐々に下げるように設定された複数の音量下げパターンが格納されており、
お休みタイマーモード時、前記ディスク側制御手段は、前記タイマー時間に応じた個別の固定値から、前記タイマー時間に応じた個別の音量下げパターンに従って再生音量を徐々に下げていくことを特徴とする請求項２ないし請求項６のいずれかに記載のディスク装置内蔵型テレビジョン受像機。
【請求項１０】
ユーザによって設定可能なタイマー時間が複数用意されており、前記一定の音量が前記複数のタイマー時間に係わらず一つの固定値に設定されているとともに、前記複数のタイマー時間に関係なく同じレベルで音量を徐々に下げていく一つの音量下げパターンが格納されており、
お休みタイマーモード時、前記ディスク側制御手段は、前記タイマー時間に関係なく前記一つの固定値から前記一つの音量下げパターンに従って再生音量を徐々に下げて行き、前記タイマー時間の終了時点で、その時点での再生音量のレベルに関係なく音楽再生を停止することを特徴とする請求項２ないし請求項６のいずれかに記載のディスク装置内蔵型テレビジョン受像機。
【請求項１１】
お休みタイマーモードへの移行時、前記ディスク側制御手段は、前記固定値がその時点での音楽ディスクの再生音量のレベルより高い場合には、再生音量のレベルを維持した状態でお休みタイマーモードを開始し、再生音量のレベルが前記音量下げパターンのレベルに一致すると、その後は前記音量下げパターンに従って再生音量を徐々に下げていくことを特徴とする請求項７ないし請求項１０に記載のディスク装置内蔵型テレビジョン受像機。
【請求項１２】
前記ディスク側制御手段は、お休みタイマーモードの選択時に前記ディスク装置に装填されている音楽ディスクが再生されていない場合には、音楽ディスクの最初から順番に再生を行い、最後まで行くと最初に戻って再生を繰り返す通常オートリピート再生、またはランダムオートリピート再生を行うことを特徴とする請求項２ないし請求項１１のいずれかに記載のディスク装置内蔵型テレビジョン受像機。
【請求項１３】
前記ディスク側制御手段は、お休みタイマーモードの選択時に前記ディスク装置に装填されている音楽ディスクが再生されていない場合であって、ユーザによりプログラム再生が設定されている場合には、そのプログラム再生に従ってオートリピート再生を行うことを特徴とする請求項２ないし請求項７、請求項９ないし請求項１１のいずれかに記載のディスク装置内蔵型テレビジョン受像機。
【発明の詳細な説明】
【技術分野】
【０００１】
本発明は、音楽ディスクを再生するディスク装置の制御手段と、お休みタイマー機能を有するテレビジョン受像機の制御手段とがバス通信によって接続されたディスク装置内蔵型テレビジョン受像機に係り、より詳細には、ディスク装置による音楽ディスクの再生を利用したお休みタイマー機能を有するディスク装置内蔵型テレビジョン受像機に関する。
【背景技術】
【０００２】
従来のテレビジョン受像機には、いわゆるお休みタイマー機能を備えたものがある。このお休みタイマー機能は、基本的には視聴者が電源を切り忘れることを防止するためのものであり、お休みタイマーをセットすると、予め決められたタイマー時間が経過するまでは、映像をＴＶ画面に表示するとともに、内部スピーカから音声を出力し、タイマー時間が経過すると自動的に電源をオフして、映像及び音声の出力を停止するようになっている。また、お休みタイマーをセットすると、ＴＶ画面表示を消して内部スピーカから音声のみを出力し、タイマー時間が経過すると自動的に電源をオフして、音声の出力を停止するようになっている（例えば、特許文献１参照）。
【０００３】
また、上記特許文献１では、お休みタイマーをセットした後、お休みタイマーの時間経過前に、視聴者がＴＶの視聴要求を行った場合の工夫がされている。すなわち、視聴者の視聴要求に対してＴＶ画面を表示する場合に、視聴者の目に適した明るさになるように、映像消灯時間が長いほどＴＶ画面を最初は暗く表示し、その後徐々に明るくしていって、最終的に元の明るさに戻すというものである。これにより、視聴者の目に優しいＴＶ画面の再表示を可能としている。
【０００４】
一方、音声出力に関しては、例えば特許文献２に、音源回路の作動中は特定の音量とし、動作終了に近づくに伴って小音量にするフェードアウト動作を行うことが記載されており、このフェードアウト動作を、音響機器の音声を聴きながら睡眠するいわゆるお休みタイマーとして使用可能であることが記載されている。
【特許文献１】特開２０００−１２５２２７号公報
【特許文献２】特開２０００−１８２３６５号公報
【発明の開示】
【発明が解決しようとする課題】
【０００５】
上記特許文献１のテレビジョン受像機では、視聴者がＴＶの視聴要求を行った場合に、ＴＶ画面を最初は暗く表示し、その後徐々に明るくしていく技術が開示されている。しかし、お休みタイマーの本来の機能である睡眠時のＴＶ画面の表示については何も工夫されておらず、タイマー時間経過時にいきなりＴＶ画面を消すか、お休みタイマーのセット時点で最初からＴＶ画面を消しておくものであった。
【０００６】
また、お休みタイマーでの音量制御については、上記特許文献２に記載されているように、動作終了に近づくに伴って小音量にするフェードアウト動作を行うことにより、睡眠状態にスムーズに導入することが可能である。
【０００７】
しかし、特許文献２においても、音量制御をどのようにして小音量にしていくのかといった具体的な制御方法は何も提案されていない。また、睡眠までの時間は人により、またその日の体調等によっても異なるため、お休みタイマーのタイマー時間として、例えば３０分や６０分というように、複数用意しておく必要がある。この場合、タイマー時間によって音量を下げていく制御も異なってくるが、このようなタイマー時間に応じた個別の制御についても、上記特許文献１，２には何も記載されていない。つまり、上記特許文献１，２のものでは、お休みタイマー機能を視聴者に合わせてきめ細かく制御することができないといった問題があった。そのため、視聴者にとっても使い勝手の必ずしも良いものではなかった。例えば、元々小音量で聞いていた状態で、お休みタイマーをセットしたとき、お休みタイマーの初期設定音量がそれまで聴いていた音量より大きかった場合には、お休みタイマーをセットした時点で音量が逆に大きくなってしまうといった不具合が発生する可能性があった。
【０００８】
本発明はかかる問題点を解決すべく創案されたもので、その目的は、お休みタイマーの設定に際し、ＴＶ表示画面の明るさ制御と音量制御とをきめ細かく行うことによって、視聴者の使い勝手を考慮したディスク装置内蔵型テレビジョン受像機を提供することにある。
【課題を解決するための手段】
【０００９】
上記課題を解決するため、本発明のディスク装置内蔵型テレビジョン受像機は、音楽ディスクを再生するディスク装置の制御手段と、お休みタイマー機能を有するテレビジョン受像機の制御手段とがバス通信によって接続されたディスク装置内蔵型テレビジョン受像機において、ユーザによりお休みタイマーモードが選択されてタイマー時間が設定されると、前記テレビ側制御手段は、お休みタイマー設定コードを前記タイマー時間とともに前記ディスク側制御手段に送信し、前記ディスク側制御手段は、前記お休みタイマー設定コードとタイマー時間とを受信すると、モニタ画面の明るさを予め設定された一定の明るさとなるように調整するとともに、前記ディスク装置によって再生中の音楽ディスクの音量を予め設定された一定の音量となるように調整し、かつ、音楽ディスクの再生についてはこの時点から前記タイマー時間の終了までオートリピート再生を開始し、前記テレビ側制御手段は、前記タイマー時間に対応させてモニタ画面の明るさを前記一定の明るさから徐々に暗くするとともに、前記再生音量を前記一定の音量から徐々に下げて行くことを特徴とする。
【００１０】
このような特徴を有する本発明によれば、ユーザによりお休みタイマーモードが選択されると、ディスク側制御手段は、モニタ画面の明るさを予め設定された一定の明るさとなるように輝度を所定レベル落として調整するとともに、ディスク装置によって再生中の音楽ディスクの音量を予め設定された一定の音量となるように所定レベル落として調整する。
【００１１】
ここで、モニタ画面の明るさを所定レベル落とすとは、例えばモニタ画面をブラック画面として、そこに再生マークのようなロゴマークを表示する場合は、そのブラック画面に対してロゴマークが薄く見える程度の明るさ（輝度）にまで落とすことを意味している。また、音量を所定レベル落とすとは、ユーザが目を閉じて睡眠を開始する場合に、耳障りにならない程度の音量となるまで落とすことを意味している。
【００１２】
そして後、この一定のレベルから、設定されたタイマー時間に応じて、モニタ画面の明るさを徐々に暗くするとともに、再生音量も徐々に下げていくことによって、ユーザを心地よく睡眠状態に導入することが可能となる。
【００１３】
この場合、前記一定の音量は、お休みタイマーモードの選択時に前記ディスク装置によって再生されている音楽ディスクの再生音量であってもよい。つまり、お休みタイマーモード選択時の再生音量をそのまま維持した状態で、お休みタイマーモードに移行してもよい。このように、再生音量を通常再生からお休みタイマーモードに移行する前後で同じ音量とすることで、通常再生状態からお休みタイマーモードにスムーズに移行することが可能となる。
【００１４】
また、前記一定の音量は、お休みタイマーモードに対応させて予め設定されたモード設定音量であってもよい。つまり、固定値として予め設定されていてもよい。
【００１５】
さらに、前記一定の音量は、ユーザによって設定されたユーザ設定音量であってもよい。すなわち、ユーザによって個別に設定された音量とする。このように、ユーザによって自由に設定可能とすることで、ユーザごとの個別の音量設定が可能となり、ユーザにとってより使い勝手のよいものとなる。
【００１６】
さらにまた、前記一定の音量は、テレビジョン受像機の初期設定音量であってもよい。通常、テレビジョン受像機等は、工場出荷時等に種々の条件が初期設定されており、テレビジョン受像機の電源をオンしたときの音量も初期設定されている。従って、この初期設定値を利用することで、お休みタイマーモードで使用する一定の音量を別途設定する必要がなくなる。
【００１７】
また、本発明によれば、ユーザによって設定可能なタイマー時間が複数用意されており、前記一定の音量が前記複数のタイマー時間に関係なく一つの固定値に設定されているとともに、この固定値から前記複数のタイマー時間に応じて音量を徐々に下げるように設定された複数の音量下げパターンが格納されている場合において、お休みタイマーモード時、前記ディスク側制御手段は、前記タイマー時間に応じた個別の音量下げパターンに従って、前記固定値から再生音量を徐々に下げていくように構成してもよい。
【００１８】
このように、タイマー時間に応じた個別の音量下げパターンに従って、固定値から再生音量を徐々に下げていくように構成することで、ユーザの設定するタイマー時間が異なっても、そのタイマー時間が経過する直前に、再生音量をほとんど零まで下げることができるので、その後電源をオフしても、ユーザにはほとんど分からない状態で（すなわち、睡眠を妨げない状態で）機器の動作を停止することが可能となる。
【００１９】
また、本発明によれば、ユーザによって設定可能なタイマー時間が複数用意されており、前記一定の音量が前記複数のタイマー時間ごとに個別の固定値として設定されているとともに、前記複数のタイマー時間に関係なく同じレベルで音量を徐々に下げていく一つの音量下げパターンが格納されている場合において、お休みタイマーモード時、前記ディスク側制御手段は、前記タイマー時間に応じた個別の固定値から、前記一つの音量下げパターンに従って再生音量を徐々に下げていくように構成してもよい。
【００２０】
このように、タイマー時間に関係なく音量下げパターンを１つのみとし、その代わりにお休みタイマーモード開始時の一定の音量を、タイマー時間に応じて個別に設定する。具体的には、タイマー時間３０分の場合の一定の音量より、タイマー時間６０分の一定の音量を高く設定する。これにより、ディスク側制御手段での制御を一つの音量下げパターンに従った簡単な制御とすることができるとともに、そのタイマー時間が経過する直前に、再生音量をほとんど零まで下げることができるので、その後電源をオフしても、ユーザにはほとんど分からない状態で（すなわち、睡眠を妨げない状態で）機器の動作を停止することが可能となる。
【００２１】
また、本発明によれば、ユーザによって設定可能なタイマー時間が複数用意されており、前記一定の音量が前記複数のタイマー時間ごとに個別の固定値として設定されているとともに、これら個別の固定値から前記複数のタイマー時間に応じて音量を徐々に下げるように設定された複数の音量下げパターンが格納されている場合において、お休みタイマーモード時、前記ディスク側制御手段は、前記タイマー時間に応じた個別の固定値から、前記タイマー時間に応じた個別の音量下げパターンに従って再生音量を徐々に下げていくように構成してもよい。
【００２２】
このように、タイマー時間に応じた個別の音量下げパターンに従って、個別に設定された固定値から再生音量を徐々に下げていくように構成することで、ユーザの設定するタイマー時間が異なっても、そのタイマー時間が経過する直前に、再生音量をほとんど零まで下げることができるので、その後電源をオフしても、ユーザにはほとんど分からない状態で（すなわち、睡眠を妨げない状態で）機器の動作を停止することが可能となる。
【００２３】
また、本発明によれば、ユーザによって設定可能なタイマー時間が複数用意されており、前記一定の音量が前記複数のタイマー時間に係わらず一つの固定値に設定されているとともに、前記複数のタイマー時間に関係なく同じレベルで音量を徐々に下げていく一つの音量下げパターンが格納されている場合において、お休みタイマーモード時、前記ディスク側制御手段は、前記タイマー時間に関係なく前記一つの固定値から前記一つの音量下げパターンに従って再生音量を徐々に下げて行き、前記タイマー時間の終了時点で、その時点での再生音量のレベルに関係なく音楽再生を停止するように構成してもよい。
【００２４】
このように、お休みタイマーモード開始時の一定音量を１つのみとし、かつ、音量下げパターンも１つのみとすることで、ディスク側制御手段でのお休みタイマーモードの制御を極めて簡単な制御とすることができる。この場合、例えばタイマー時間を９０分とし、このタイマー時間が経過する直前に再生音量をほとんど零まで下げるような音量下げパターンを格納している場合において、タイマー時間を例えば３０分に設定した場合には、タイマー時間の終了直前でも、まだある程度の音量で音楽ディスクを再生していることになり、その音量からいきなり電源がオフされることになる。しかし、この再生音量は、元々低めに設定されている一定の音量からさらに所定レベル下げた音量であるため、その再生音が突然停止しても、睡眠に入ったユーザにとっては気になるような環境変化ではなく、睡眠を妨げる要因となることはない。
【００２５】
また、本発明によれば、お休みタイマーモードへの移行時、前記ディスク側制御手段は、前記固定値がその時点での音楽ディスクの再生音量のレベルより高い場合には、再生音量のレベルを維持した状態でお休みタイマーモードを開始し、再生音量のレベルが前記音量下げパターンのレベルに一致すると、その後は前記音量下げパターンに従って再生音量を徐々に下げていくように構成してもよい。
【００２６】
すなわち、ユーザの視聴状況によっては（例えば、隣の部屋に子供が寝ている状況において、なおかつ周囲の環境も静かな深夜に視聴しているような場合には）、ユーザは元々低い音量でテレビを視聴しているのが普通である。このような視聴状況では、お休みタイマーモードに対応して設定されている一定の音量レベルが、視聴している音量レベルより高い場合もあり得る。そして、この状況においてユーザがお休みタイマーをセットすると、その時点で逆に音量が少し上がってしまうといった状況が発生する。そこで、上記発明のように構成すれば、お休みタイマーモードを設定しても、再生音量はそれまでの視聴音量をそのまま維持することになるので、音量が不測に上がってしまうといった不具合を防止することが可能となる。
【００２７】
上記各構成において、前記ディスク側制御手段は、お休みタイマーモードの選択時に前記ディスク装置に装填されている音楽ディスクが再生されていない場合には、音楽ディスクの最初から順番に再生を行い、最後まで行くと最初に戻って再生を繰り返す通常オートリピート再生、またはランダムオートリピート再生を行うように構成してもよい。また、前記ディスク側制御手段は、お休みタイマーモードの選択時に前記ディスク装置に装填されている音楽ディスクが再生されていない場合であって、ユーザによりプログラム再生が設定されている場合には、そのプログラム再生に従ってオートリピート再生を行うように構成してもよい。いずれにしても、オートリピート再生を行うことで、ユーザが設定したタイマー時間に関係なく、タイマー時間の最後まで音楽ディスクを再生し続けることが可能となる。この場合、ユーザの気に入った音楽ディスクを装填しておけば、ユーザの気に入った音楽のみをリピート再生することになるので、ユーザにとっては好みの音楽をＢＧＭとして、心地よい眠りにつくことができる。
【発明の効果】
【００２８】
本発明のディスク装置内蔵型テレビジョン受像機によれば、ディスク装置に装填されている音楽ディスクの再生音量を利用してお休みタイマーモードを設定することができるので、予めユーザの好みの音楽を録音しておいた音楽ディスクを装填しておけば、ユーザの好みに応じたお休みタイマーモードを設定することができる。すなわち、従来のテレビジョン受像機単独でのお休みタイマー機能は、お休みタイマーモード設定時に放送されている番組の音楽を利用するものであり、必ずしもユーザの好みに合った音楽でない場合もあるが、本発明のディスク装置内蔵型テレビジョン受像機によれば、ユーザの好みに応じた音楽を利用したお休みタイマーモードに設定できるので、ユーザにとっては極めて使い勝手のよいものとなる。
【００２９】
また、本発明のディスク装置内蔵型テレビジョン受像機によれば、ユーザによりお休みタイマーモードが選択されると、モニタ画面の明るさを予め設定された一定の明るさとなるように輝度を所定レベル落として調整するとともに、ディスク装置によって再生中の音楽ディスクの音量を予め設定された一定の音量となるように所定レベル落として調整し、この一定のレベルから、設定されたタイマー時間に応じて、モニタ画面の明るさを徐々に暗くするとともに、再生音量も徐々に下げていくことによって、ユーザを心地よく睡眠状態に導入することができる。
【００３０】
また、前記一定の音量を、お休みタイマーモードの選択時にディスク装置によって再生されている音楽ディスクの再生音量とすれば、再生音量を、通常再生からお休みタイマーモードに移行する前後で同じ音量とすることができ、通常再生状態からお休みタイマーモードにスムーズに移行することができる。さらに、前記一定の音量を、ユーザによって任意に設定可能とすれば、ユーザごとの個別の音量設定が可能となり、ユーザにとってより使い勝手のよいものとなる。
【００３１】
また、本発明のディスク装置内蔵型テレビジョン受像機によれば、タイマー時間に応じた個別の音量下げパターンに従って、固定値から再生音量を徐々に下げていくように構成することで、ユーザの設定するタイマー時間が異なっても、そのタイマー時間が経過する直前に、再生音量をほとんど零まで下げることができるので、その後電源をオフしても、ユーザにはほとんど分からない状態で（すなわち、睡眠を妨げない状態で）機器の動作を停止することが可能となる。
【００３２】
また、本発明のディスク装置内蔵型テレビジョン受像機によれば、タイマー時間に関係なく音量下げパターンを１つのみとし、その代わりにお休みタイマーモード開始時の一定の音量を、タイマー時間に応じて個別に設定した構成とすることで、ディスク側制御手段での制御を一つの音量下げパターンに従った簡単な制御とすることができるとともに、そのタイマー時間が経過する直前に、再生音量をほとんど零まで下げることができるので、その後電源をオフしても、ユーザにはほとんど分からない状態で（すなわち、睡眠を妨げない状態で）機器の動作を停止することが可能となる。
【００３３】
また、本発明のディスク装置内蔵型テレビジョン受像機によれば、タイマー時間に応じた個別の音量下げパターンに従って、個別に設定された固定値から再生音量を徐々に下げていくように構成することで、ユーザの設定するタイマー時間が異なっても、そのタイマー時間が経過する直前に、再生音量をほとんど零まで下げることができるので、その後電源をオフしても、ユーザにはほとんど分からない状態で（すなわち、睡眠を妨げない状態で）機器の動作を停止することが可能となる。
【００３４】
また、本発明のディスク装置内蔵型テレビジョン受像機によれば、お休みタイマーモード時、タイマー時間に関係なく一つの固定値から一つの音量下げパターンに従って再生音量を徐々に下げて行き、タイマー時間の終了時点で、その時点での再生音量のレベルに関係なく音楽再生を停止するように構成してもよい。このように、お休みタイマーモード開始時の一定音量を１つのみとし、かつ、音量下げパターンも１つのみとすることで、ディスク側制御手段でのお休みタイマーモードの制御を極めて簡単な制御とすることができる。
【００３５】
また、本発明のディスク装置内蔵型テレビジョン受像機によれば、お休みタイマーモードへの移行時、固定値がその時点での音楽ディスクの再生音量のレベルより高い場合には、再生音量のレベルを維持した状態でお休みタイマーモードを開始し、再生音量のレベルが前記音量下げパターンのレベルに一致すると、その後は前記音量下げパターンに従って再生音量を徐々に下げていくように構成してもよい。これにより、お休みタイマーモードを設定しても、再生音量はそれまでの視聴音量をそのまま維持することになるので、音量が不測に上がってしまうといった不具合を防止することが可能となる。
【００３６】
なお、本発明でいうところの音楽ディスクには、ＣＤＤＡ（Compact Disc Digital Audio）規格に沿って作成された音楽ＣＤや、音楽ＤＶＤのみならず、ＭＰＥＧ３形式、ＷＭＡ（Windows Media Audio）形式等で音楽が記録されたディスクなども含まれる。すなわち、音楽を所定の形式で記録し再生できる全てのディスクを含む概念である。
【発明を実施するための最良の形態】
【００３７】
以下、本発明の実施の形態について、図面を参照して説明する。
【００３８】
図１は、本実施形態に係わるディスク装置（例えばＤＶＤ装置）内蔵型テレビジョン受像機の要部の電気的構成を示す機能ブロック図である。ただし、本実施形態では、ＤＶＤ装置によるディスク再生処理や、テレビジョン受像機による映像及び音声の信号処理については従来周知の処理であるので、ここではそれぞれディスク信号処理部及びＴＶ信号処理部として簡単な機能ブロックで示している。
【００３９】
すなわち、本実施形態のディスク装置内蔵型テレビジョン受像機は、音楽ディスク１３を再生するディスク制御系１０と、ユーザによって設定可能なお休みタイマー機能を有するＴＶ制御系２０とが１つの筐体内に機能的に連係されて格納されたもので、ディスク制御系１０全体を制御するディスク側マイコン（ディスク側制御手段）１１と、ＴＶ制御系２０全体を制御するＴＶ側マイコン（テレビ側制御手段）２１とがバス通信３５によって双方向に接続された構成となっている。
【００４０】
ディスク側マイコン１１は、本体内に装填された音楽ディスク１３の種類を判別する判別処理や、ディスクの種類に応じた再生処理を行うディスク信号処理部１２を制御する。また、ディスク信号処理部１２は、ディスク装置側の各種設定を行うためのセットアップ画面を含む各種設定画面を表示するためのＯＳＤ回路１２ａを備えている。
【００４１】
一方、テレビジョン信号を受信するチューナ回路２２の出力は、ディスク信号処理部１２からのディスク生成信号との入力切り換えを行う入力切換回路２３を介してＴＶ信号処理部２４に接続されており、ＴＶ信号処理部２４の出力は、ＣＲＴ等の表示部２５に接続されている。また、入力切換回路２３の出力は、増幅器２６を介して内部スピーカ２７に接続されている。また、ＴＶ信号処理部２４は、テレビジョン受像機側の各種設定を行うためのセットアップ画面を含む各種設定画面を表示するためのＯＳＤ回路２４ａを備えている。
【００４２】
ＴＶ側マイコン２１は、チューナ回路２２を介して受信したテレビジョン信号を映像信号や音声信号に復号し、映像信号を表示部２５に表示するとともに音声信号を内部スピーカ２７から出力するＴＶ信号処理部２４を制御する。
【００４３】
また、ＴＶ側マイコン２１には、工場出荷時に予め設定された表示画面の明るさ系の設定値（すなわち、ブライト、コントラスト、カラー、シャープネス、ティント等の設定値）や出荷後最初の電源オン時の音量等を初期値として格納しておくＥＥＰＲＯＭ等からなるデータ格納部２８が接続されている。また、ＴＶ側マイコン２１には、お休みタイマーモード時に設定されたタイマー時間を計測するタイマー回路３１が接続されている。さらに、ＴＶ側マイコン２１には、リモコン４１からの各種操作信号を受信する受信部２９の出力が接続されている。ＴＶ側マイコン２１は、このリモコン４１から送信されてくる各種操作信号に基づいて、ディスク制御系１０及びＴＶ制御系２０の動作制御を行うようになっている。すなわち、本実施形態では、ディスク制御系１０の電源オン、オフを含む全ての制御信号が、ＴＶ側マイコン２１を通じてディスク側マイコン１１に送信されるようになっている。
【００４４】
また、本実施形態のディスク装置内蔵型テレビジョン受像機では、ユーザによって設定可能なタイマー時間が例えば３０分、６０分、９０分の３種類用意されており、この３種類のタイマー時間に応じて音量を徐々に下げるように設定された１または複数の音量下げパターンを格納したメモリ部３０を備えている。このメモリ部３０は、バス通信３５のラインに接続されている。すなわち、ディスク側マイコン１１及びＴＶ側マイコン２１のいずれからも直接アクセス可能となっている。なお、メモリ部３０としては、ＥＥＰＲＯＭやフラッシュメモリ等の使用が可能である。また、このメモリ部３０とデータ格納部２８とを共通使用することも可能であるが、本実施形態では、メモリ部３０とデータ格納部２８とを別個に設けている。
【００４５】
次に、上記構成のディスク装置内蔵型テレビジョン受像機において、リモコン４１を使用してユーザがお休みタイマーモードを選択し、任意のタイマー時間を設定した場合の、ＴＶ側マイコン２１及びディスク側マイコン１１によるお休みタイマーモード実行処理について、図２に示す動作シーケンス図を参照して説明する。
【００４６】
ユーザは、リモコン４１の図示しないお休みタイマーモードの選択ボタンを操作すると、リモコン４１からＴＶ側マイコン２１の受信部２８に対してお休みタイマーコードが送信される（Ｓ１）。ＴＶ側マイコン２１は、このお休みタイマーコードを受けて、ＴＶ信号処理部２４のＯＳＤ回路２４ａを起動し、表示部２５にお休みタイマーモードの設定画面５１を表示する。
【００４７】
ユーザは、この設定画面から必要事項を選択または入力する。具体的には、お休みタイマー時間（例えば、３０分）を選択または入力する。この後、ユーザがお休みタイマーモード設定画面５１の図示しない「ＯＫ」ボタンを操作すると、ＴＶ側マイコンは、このお休みタイマーモードの情報を図示しない内部メモリに格納するとともに、お休みタイマー確定コードをバス通信３５を介してディスク側マイコン１１に送信する。
【００４８】
ディスク側マイコン１１は、このお休みタイマー確定コードを受信すると、現在、ディスク装置によって音楽ディスク１３を再生中か否かを確認する（Ｓ３）。その結果、音楽ディスク１３を再生中であれば、この時点から設定されたタイマー時間の終了までオートリピート再生の設定を行う（Ｓ４）。
【００４９】
また、ディスク側マイコン１１は、就寝前のＢＧＭとして聴くのに適した画面となるように、表示部２５の画面の明るさを予め設定された一定の明るさ（これについては後述する）となるように調整するとともに、就寝前のＢＧＭとして聴くのに適した音量となるように、音楽ディスク１３の再生音量を、予め設定された一定の音量（これについては後述する）となるように調整した後（Ｓ５）、ＴＶ側マイコン２１に対して、調整完了コードを送信する（Ｓ６）。
【００５０】
ＴＶ側マイコン２１は、この調整完了コードを受信すると、ディスク側マイコン１１にて設定された一定の明るさと一定の音量とからスタートして、設定されたお休みタイマーモードを開始する。すなわち、音楽ディスク１３の再生については、この時点からタイマー時間の終了までオートリピート再生（これについても後で詳述する）を行い、図２に示す音量下げパターンに従って、再生音量を一定の音量から徐々に下げていく。同様に、表示部２５の画面の明るさも、一定の明るさから徐々に暗くしていく（Ｓ７）。この場合、再生音量の制御は、ディスク側マイコン１１にて行い、表示部２５の画面の明るさ制御は、ＴＶ側マイコン２１にて行う。
【００５１】
その結果、タイマー時間の終了近くになると、音量レベルはほとんど零に近いレベルまで低下し、画面の明るさも、室内がほとんど見えない程度の明るさまで低下する。そして、この状態でタイマー時間が経過すると、ＴＶ側マイコン２１は、ディスク側マイコン１１に電源オフコードを送信した後（Ｓ８）、テレビジョン受像機の電源をオフにする。一方、ディスク側マイコン１１も、電源オフコードを受け取ると、ディスク装置の電源をオフにする。これにより、お休みタイマーモードの処理が終了する。
【００５２】
なお、お休みタイマーモードを実行して、一定の明るさ及び一定の音量から、画面の明るさ及び再生音量を徐々に下げている途中において、ユーザがリモコン４１の図示しないお休みタイマーモードのキャッセルボタンを操作すると、リモコン４１からＴＶ側マイコン２１の受信部２８に対してお休みタイマーモードのキャンセルコードが送信される。ＴＶ側マイコン２１は、このお休みタイマーモードのキャンセルコードを受信すると、画面の明るさを元の明るさに戻すとともに、ディスク側マイコン１１も、ＴＶ側マイコン２１から送信されてくるキャンセルコードに基づいて、音楽ディスク１３の再生音量を元の音量に戻し、かつ、ディスク再生については、オートリピートを解除して、お休みタイマーモード設定前の再生状態に復帰させる。
【００５３】
上記のお休みタイマーモード実行処理では、就寝前のＢＧＭとして聴くのに適した画面及び音量となるように、表示部２５の画面の明るさを所定レベル落とした一定の明るさに調整するとともに、音楽ディスク１３の再生音量を所定レベル落とした一定の音量に調整している。
【００５４】
ここで、表示部２５の画面の明るさを所定レベル落とした一定の明るさに調整するとは、例えば表示部２５の画面をブラック画面として、そこに再生マークのようなロゴマークを表示する場合は、そのブラック画面に対してロゴマークが薄く見える程度の明るさ（輝度）にまで落とすことを意味している。また、再生音量を所定レベル落とした一定の音量に調整するとは、ユーザが目を閉じて睡眠を開始する場合に、耳障りにならない程度の音量となるまで落とすことを意味している。
【００５５】
ここで、一定の音量については、種々のレベルの設定が可能である。具体的には、一定の音量として、お休みタイマーモードの選択時にディスク装置によって再生されている音楽ディスク１３の再生音量としてもよい。つまり、お休みタイマーモード選択時の再生音量をそのまま維持した状態で、お休みタイマーモードに移行してもよい。このように、再生音量を通常再生からお休みタイマーモードに移行する前後で同じ音量とすることで、通常再生状態からお休みタイマーモードにスムーズに移行することが可能となる。
【００５６】
また、一定の音量として、お休みタイマーモードに対応させて予め設定されたモード設定音量としてもよい。つまり、固定値として予め設定されていてもよい。
【００５７】
さらに、一定の音量として、ユーザによって設定されたユーザ設定音量としてもよい。すなわち、ユーザによって個別に設定可能とする。このように、ユーザによって自由に設定可能とすることで、ユーザごとの個別の音量設定が可能となり、ユーザにとってより使い勝手のよいものとなる。
【００５８】
さらにまた、一定の音量として、テレビジョン受像機の初期設定音量としてもよい。通常、テレビジョン受像機等は、工場出荷時等に種々の条件が初期設定されており、テレビジョン受像機の出荷後最初の電源オン時の音量等も初期設定されて、データ格納部２９に格納されている。従って、この初期設定値を利用してもよい。
【００５９】
上記動作シーケンスにおいて、音量下げパターンをどのように設定するかによって、種々のお休みタイマーモードを実行することができる。次に、この音量下げパターンの各種実施例について説明する。
【実施例１】
【００６０】
本実施例１は、お休みタイマーモード設定時に、ディスク装置によって再生中の音楽ディスク１３の音量をある一定の音量に下げるのであるが、そのときの一定の音量を、タイマー時間の種類（この例では、３０分、６０分、９０分）に関係なく一つの固定値Ｌ１１に設定した実施例である。
【００６１】
図３は、上記お休みタイマーモード実行処理時に使用される実施例１の音量下げパターンの構成例を示している。
【００６２】
この音量下げパターンは、３種類のタイマー時間３０分、６０分、９０分に対し、お休みタイマーモード開始時の音量レベルを、同じ一定の音量レベル（固定値）Ｌ１１とし、この固定値Ｌ１１から、各タイマー時間３０分、６０分、９０分に応じて音量を下げるレベルを異ならせた３種類の音量下げパターンとなっている。すなわち、タイマー時間が短いほど、音量を下げるレベルが大きくなるように設定されている。ただし、図３（ａ）では、音量の変化を直線的に示しており、音量をリニアーに下げるようにしているが、音量の変化はリニアーである必要はなく、段階的に変化させてもよい。例えば、図３（ｂ）に示すように１０段階で変化させる場合には、タイマー時間３０分であれば３分ごと、タイマー時間６０分であれば６分ごと、タイマー時間９０分であれば９分ごとに、いずれも同じ所定レベルずつ下げていくようにし、１０段階目では、限りなく音量が零になるように設定すればよい。
【実施例２】
【００６３】
本実施例２は、お休みタイマーモード設定時に、ディスク装置によって再生中の音楽ディスク１３の音量をある一定の音量に下げるのであるが、そのときの一定の音量を、タイマー時間の種類（この例では、３０分、６０分、９０分）ごとに個別の固定値Ｌ２１，Ｌ２２，Ｌ２３として設定した実施例である。
【００６４】
図４は、上記お休みタイマーモード実行処理時に使用される実施例２の音量下げパターンの構成例を示している。
【００６５】
この音量下げパターンは、３種類のタイマー時間３０分、６０分、９０分に対し、お休みタイマーモード開始時の音量レベルを、それぞれに対応した一定の音量レベル（固定値）Ｌ２１，Ｌ２２，Ｌ２３とし、それぞれの固定値Ｌ２１，Ｌ２２，Ｌ２３から、各タイマー時間に関係なく、同じレベルで音量を徐々に下げていくように設定している。すなわち、各タイマー時間に対応する３つの音量下げパターンは、互いに平行な直線となっている。つまり、各固定値Ｌ２１，Ｌ２２，Ｌ２３の音量レベルを予め調整しておくことで、タイマー時間終了時には、再生音量がほとんど零レベルとなるように設定している。ただし、図４（ａ）では、音量の変化を直線的に示しており、音量をリニアーに下げるようにしているが、音量の変化はリニアーである必要はなく、段階的に変化させてもよい。例えば、図４（ｂ）に示すように、タイマー時間３０分であれば６分ごとの５段階、タイマー時間６０分であれば６分ごとの１０段階、タイマー時間９０分であれば６分ごとの１５段階というように、各タイマー時間に応じて段階数を異ならせることで、いずれも同じ所定レベルずつ下げていくように設定すればよい。
【実施例３】
【００６６】
本実施例３は、お休みタイマーモード設定時に、ディスク装置によって再生中の音楽ディスク１３の音量をある一定の音量に下げるのであるが、そのときの一定の音量を、タイマー時間の種類（この例では、３０分、６０分、９０分）ごとに個別の固定値Ｌ３１，Ｌ３２，Ｌ３３として設定するとともに、これら個別の固定値Ｌ３１，Ｌ３２，Ｌ３３から、各タイマー時間に応じて音量を下げるレベルを異ならせた３種類の音量下げパターンとした実施例である。
【００６７】
図５は、上記お休みタイマーモード実行処理時に使用される実施例３の音量下げパターンの構成例を示している。
【００６８】
図５からも分かる通り、本実施例３の音量下げパターンは、上記実施例１のパターンと上記実施例２のパターンとを組み合わせた形となっている。つまり、各固定値Ｌ３１，Ｌ３２，Ｌ３３にあまり差をつけないように設定して、固定値Ｌ３３のレベルがあまり高くなり過ぎないように設定している。その結果、各音量下げパターンの傾斜角も、上記実施例１ほどには付かないような設定となっている。なお、本実施例３においても、図５では、音量の変化を直線的に示しており、音量をリニアーに下げるようにしているが、音量の変化はリニアーである必要はなく、上記実施例１，２の場合と同様、段階的に変化させてもよい。
【実施例４】
【００６９】
本実施例４は、お休みタイマーモード設定時に、ディスク装置によって再生中の音楽ディスク１３の音量をある一定の音量に下げるのであるが、そのときの一定の音量を、タイマー時間の種類（この例では、３０分、６０分、９０分）に関係なく一つの固定値Ｌ４３に設定し、この一つの固定値から、タイマー時間に関係なく同じレベルで音量を徐々に下げていく実施例である。
【００７０】
図６は、上記お休みタイマーモード実行処理時に使用される実施例４の音量下げパターンの構成例を示している。
【００７１】
この音量下げパターンは、３種類のタイマー時間３０分、６０分、９０分に対し、お休みタイマーモード開始時の音量レベルを、同じ一定の音量レベル（固定値）Ｌ４３とし、この固定値Ｌ４３から、各タイマー時間に関係なく、同じレベルで音量を徐々に下げていくように設定している。この音量下げパターンは、タイマー時間を９０分とし、このタイマー時間が経過する直前に再生音量をほとんど零まで下げるようなパターンとなっている。そして、タイマー時間を例えば３０分に設定した場合には、タイマー時間３０分の終了直前でも、まだある程度の音量レベルＬ２で音楽ディスク１３を再生しているが、この音量レベルＬ４２で電源をオフすることになる。また、タイマー時間を例えば６０分に設定した場合には、タイマー時間６０分の終了直前でも、まだある程度の音量レベルＬ４１で音楽ディスク１３を再生しているが、この音量レベルＬ１で電源をオフすることになる。
【実施例５】
【００７２】
本実施例５は、上記実施例２に特に有効な変形実施例であり、タイマー時間に対応した固定値が、お休みタイマーモード設定前の再生音量のレベルより高い場合の実施例である。
【００７３】
図７は、上記お休みタイマーモード実行処理時に使用される実施例５の音量下げパターンの構成例を示している。
【００７４】
音量下げパターンの構成自体は、上記実施例２の場合（図４参照）と同じであるが、この音量下げパターンを利用したディスク側マイコン１１でのお休みタイマーモード実行処理が異なっている。すなわち、お休みタイマーモードへの移行時に、各固定値Ｌ２１，Ｌ２２，Ｌ２３がその時点での音楽ディスク１３の再生音量のレベルＬ２０より高い場合には、再生音量のレベルＬ２０を維持した状態でお休みタイマーモードを開始する点である。そして、再生音量のレベルが、対応するタイマー時間の音量下げパターンの音量レベルに一致すると、その後はその音量下げパターンに従って再生音量を徐々に下げていくように制御するものである。
【００７５】
すなわち、ユーザが元々低い音量でテレビを視聴している状態において、お休みタイマーモードを設定した場合、そのお休みタイマーモードに対応して設定されている一定の音量レベルが、現在視聴している音量レベルより高い場合があり得る。この場合、上記実施例２では、その時点で逆に音量が少し上がってしまうといった状況が発生するが、本実施例５によれば、お休みタイマーモードを設定しても、再生音量はそれまでの視聴音量をそのまま維持することになるので、音量が不測に上がってしまうといった不具合を防止することができる。
【００７６】
なお、上記実施形態では、お休みタイマーモードの選択時に音楽ディスク１３が再生されていることが前提となっている。しかし、音楽ディスク１３は装填されているものの、ディスク装置としては再生動作を行っていない場合もある。この場合には、ディスク側マイコン１１は、装填されている音楽ディスク１３の最初から順番に再生を行い、最後まで行くと最初に戻って再生を繰り返す通常オートリピート再生を行うか、または、ランダムオートリピート再生を行うように構成しておけばよい。また、ユーザによりプログラム再生が設定されている場合には、そのプログラム再生に従ってオートリピート再生を行うように構成してもよい。いずれにしても、オートリピート再生を行うことで、ユーザが設定したタイマー時間に関係なく、タイマー時間の最後まで音楽ディスクを再生し続けることが可能となる。
【図面の簡単な説明】
【００７７】
【図１】本発明のディスク装置内蔵型テレビジョン受像機の要部の電気的構成を示す機能ブロック図である。
【図２】ユーザがお休みタイマーモードを選択し、任意のタイマー時間を設定した場合の、ＴＶ側マイコン及びディスク側マイコンによるお休みタイマーモード実行処理を説明するための動作シーケンス図である。
【図３】本発明に係わるお休みタイマーモード実行処理時に使用される音量下げパターンの実施例１の構成を示す説明図である。
【図４】本発明に係わるお休みタイマーモード実行処理時に使用される音量下げパターンの実施例２の構成を示す説明図である。
【図５】本発明に係わるお休みタイマーモード実行処理時に使用される音量下げパターンの実施例３の構成を示す説明図である。
【図６】本発明に係わるお休みタイマーモード実行処理時に使用される音量下げパターンの実施例４の構成を示す説明図である。
【図７】本発明に係わるお休みタイマーモード実行処理時に使用される音量下げパターンの実施例５の構成を示す説明図である。
【符号の説明】
【００７８】
１０  ディスク制御系
１１  ディスク側マイコン
１２  ディスク信号処理部
１２ａ  ＯＳＤ回路
１３  ディスク
２０  ＴＶ制御系
２１  ＴＶ側マイコン
２２  チューナ回路
２３  入力切換回路
２４  ＴＶ信号処理部
２４ａ  ＯＳＤ回路
２５  表示部
２６  増幅器
２７  スピーカ
２８  受信部
２９  データ格納部
３０  メモリ部
３１  タイマー回路
３５  バス通信
４１  リモコン
【図１】
2006217134.tif 000003
【図２】
2006217134.tif 000004
【図３】
2006217134.tif 000005
【図４】
2006217134.tif 000006
【図５】
2006217134.tif 000007
【図６】
2006217134.tif 000008
【図７】
2006217134.tif 000009